(57)【要約】【課題】  機器全体の低層化が可能なことは勿論、ばね操作器本体を取り外すことなく、作業負担が増大しない簡単な作業で投入動作用ばねのばね力の調整を容易に行うことができるガス遮断器を提供すること。【解決手段】  本発明のガス遮断器は、上記課題を解決するために、可動接触子を駆動するばね操作器が、遮断動作用ばねと投入動作用ばね、及び前記遮断動作用ばねを収納する遮断動作用ばね収納ケースと前記投入動作用ばねを収納する投入動作用ばね収納ケースを備え、密封タンクとリンク機構及びばね操作器が一直線上に配置されていると共に、前記遮断動作用ばね収納ケースが前記投入動作用ばね収納ケースの上方に配置され、かつ、前記投入動作用ばね収納ケースには、前記投入動作用ばねのばね力を調整するための作業用工具が持ち込み可能な作業用孔が形成されていることを特徴とする。【選択図】図２
2015167093.tif 000002
【特許請求の範囲】
【請求項１】
固定接触子と、該固定接触子に対して接触及び開離する可動接触子と、前記固定接触子及び前記可動接触子を内部に有する密封タンクと、前記可動接触子を駆動するばね操作器と、前記密封タンクと前記ばね操作器の間に配置され、両者を接続するリンク機構とを備え、
前記ばね操作器は、遮断動作用ばねと投入動作用ばね、及び前記遮断動作用ばねを収納する遮断動作用ばね収納ケースと前記投入動作用ばねを収納する投入動作用ばね収納ケースを有し、
前記密封タンクと前記リンク機構及び前記ばね操作器は、一直線上に配置されていると共に、前記遮断動作用ばね収納ケースが前記投入動作用ばね収納ケースの上方に配置され、かつ、前記投入動作用ばね収納ケースには、前記投入動作用ばねのばね力を調整するための作業用工具が持ち込み可能な作業用孔が形成されていることを特徴とするガス遮断器。
【請求項２】
請求項１に記載のガス遮断器において、
前記作業用孔は、前記投入動作用ばね収納ケース側の前記リンク機構部の側端部上方若しくは下方に形成されていることを特徴とするガス遮断器。
【請求項３】
請求項１又は２に記載のガス遮断器において、
前記作業用孔は、前記ばね操作器の上方から見て前記遮断動作用ばね収納ケースにより隠れない位置に設けられていることを特徴とするガス遮断器。
【請求項４】
請求項１乃至３のいずれか１項に記載のガス遮断器において、
前記作業用孔は、少なくとも前記投入動作用ばねのばね力を調整する作業のとき以外は、カバーにより塞がれていることを特徴とするガス遮断器。
【請求項５】
請求項１乃至４のいずれか１項に記載のガス遮断器において、
前記遮断動作用ばね収納ケースと前記投入動作用ばねケースは、それぞれの中心軸が水平方向にずれて配置されていることを特徴とするガス遮断器。
【請求項６】
請求項１乃至５のいずれか１項に記載のガス遮断器において、
前記リンク機構は、前記遮断動作用ばねの駆動力を前記可動接触子に伝えるものであり、かつ、前記ばね操作器は、前記遮断動作用ばねと前記投入動作用ばねを保持及び解放する制御機構を一端に有すると共に、他端が前記リンク機構と接続され、
前記遮断動作用ばねは、前記リンク機構と前記制御機構の間に、その動作軸が前記可動接触子の動作軸の動作方向と平行に配置されていることを特徴とするガス遮断器。
【請求項７】
請求項１乃至６のいずれか１項に記載のガス遮断器において、
前記作業用孔が形成されている前記投入動作用ばね収納ケースの内部に、前記投入動作用ばねの一端を当接させるばね受けと、該ばね受けの前記投入動作用ばねを当接させた側に遊嵌されるばね受け支持部と、該ばね受け支持部の端部に前記ばね受けの中央を通して形成されたねじ部と、該ねじ部に螺合される調整用ナットとを有し、
前記ばね受けの前記投入動作用ばねの当接する側とは反対側で、前記ねじ部を前記調整用ナットにより螺号することで、前記投入動作用ばねのばね力が調整されることを特徴とするガス遮断器。
【請求項８】
請求項７に記載のガス遮断器において、
前記ばね受けには前記ばね受け支持部が嵌る凹部が形成され、前記調整用ナットを締めたり緩めたりすることで、前記ばね受けが変位することを特徴とするガス遮断器。
【請求項９】
固定接触子と、該固定接触子に対して接触及び開離する可動接触子と、前記固定接触子及び前記可動接触子を内部に有する密封タンクと、前記可動接触子を駆動するばね操作器と、前記密封タンクと前記ばね操作器の間に配置され、両者を接続するリンク機構とを備え、
前記ばね操作器は、遮断動作用ばねと投入動作用ばね、及び前記遮断動作用ばねを収納する遮断動作用ばね収納ケースと前記投入動作用ばねを収納する投入動作用ばね収納ケースを有し、
前記密封タンクと前記リンク機構及び前記ばね操作器は、一直線上に配置されていると共に、前記遮断動作用ばね収納ケースが前記投入動作用ばね収納ケースの上方に配置され、かつ、前記投入動作用ばね収納ケースに形成されている作業用孔から作業用工具を持ち込んで前記投入動作用ばねのばね力を調整するに当たり、
前記作業用孔から前記作業用工具を前記投入動作用ばね収納ケース内に挿入すると共に、ばね受け支持部の端部にばね受けの中央を通して形成されたねじ部に螺合される調整用ナットに前記作業用工具を装着し、その後、前記調整用ナットと前記ばね受け支持部のねじ部を締めたり緩めることにより前記ばね受けを変位させることで、前記投入動作用ばねのばね力を調整することを特徴とするガス遮断器の投入動作用ばねの調整方法。
【請求項１０】
請求項９に記載のガス遮断器の投入動作用ばねの調整方法において、
前記ばね受けには前記ばね受け支持部が嵌る凹部が形成されており、前記調整用ナットを締めたり緩めたりすることで、前記凹部内を前記ばね受け支持部が移動し、前記ばね受けが変位することを特徴とするガス遮断器の投入動作用ばねの調整方法。
【請求項１１】
請求項９又は１０に記載のガス遮断器の投入動作用ばねの調整方法において、
前記調整用ナットを締めることで、前記投入動作用ばねが蓄勢されて反力を大きくし、前記調整用ナットを緩めることで、前記投入動作用ばねが放勢されて反力を小さくすることを特徴とするガス遮断器の投入動作用ばねの調整方法。
【発明の詳細な説明】
【技術分野】
【０００１】
本発明はガス遮断器及びその投入動作用ばねの調整方法に係り、特に、ガス遮断器の投入動作を行うための駆動力源となる投入動作用ばねにおけるばね力を調整するものに好適なガス遮断器及びその投入動作用ばねの調整方法に関する。
【背景技術】
【０００２】
一般に、ガス遮断器においては、遮断部接点が高速度で開と閉の位置間を移動しなければならないため、３相それぞれに操作器を持つ各相操作形のガス遮断器では、各相間の閉極時間のばらつきが規格により規定されている。この各相間の閉極時間のばらつきを規定値内に揃える調整方法の一つとして、投入動作用ばねのばね力の初期設定値を調整する場合がある。この投入動作用ばねのばね力の初期設定値の調整には、投入動作用ばね部をガス遮断器から取り外して行うことが多い。
【０００３】
このようなことから、特許文献１には、開閉装置用操作機構において、投入動作用ばねのばね力を、大がかりな専用治具を用いることなく、簡素な構成で投入動作用ばね部を取り外さないで調整することを可能とすることが開示されている。
【０００４】
即ち、特許文献１には、投入動作用ばねの端面に配置したばね受けの背面にばね受け支持体を配置し、このばね受け支持体にジャッキボルト用ねじ孔を貫通して設け、このジャッキボルト用ねじ孔にジャッキ用ボルトをねじ込むことにより、ばね受け及び投入動作用ばねを押し下げてばね受け支持体とばね受けとの間に隙間を作り、その隙間にばね力調整用スぺーサを挿入し、投入動作用ばねの使用高さを変えることで、投入動作用ばねのばね力を調整することが開示されている。
【０００５】
一方、ガス絶縁開閉装置の輸送コスト低減が求められており、そのために、ガス絶縁開閉装置を一体でコンテナ輸送することが要求されている。ガス絶縁開閉装置を一体でコンテナ輸送するためには、機器全体の低層化が課題である。
【０００６】
この低層化の課題は、通常は、ガス遮断器の下部に投入動作用ばねが収納されている投入動作用ばね収納ケースと遮断動作用ばねが収納されている遮断動作用ばね収納ケースを備えているばね操作器を、ガス遮断器の前面に、該ガス遮断器と一直線上に配置することで解決できる。
【先行技術文献】
【特許文献】
【０００７】
【特許文献１】特開２０１２−４３７３３号公報
【発明の概要】
【発明が解決しようとする課題】
【０００８】
しかしながら、上述の如く、遮断動作用ばねを投入動作用ばねの上部に配置すると、投入動作用ばねのばね力を調整しようとしても、遮断動作用ばねに遮られて投入動作用ばねにアクセスするのが難しいものとなる。このため、投入動作用ばねのばね力の調整作業を行うことが困難になってしまう。
【０００９】
この投入動作用ばねのばね力の調整作業を行うためには、ばね操作器の本体を取り外すことが考えられるが、ばね操作器の本体を取り外すとなると、そのためにボルトの取外し、ばね操作器のジャッキアップ、ローラ取付け、移動、ばね力調整、移動、ローラ取外し、遮断器本体に取付け等の作業を行う必要があり、作業負担が増大する。
【００１０】
また、特許文献１では、ばね受け、ばね力調整用スぺーサ及びばね受け支持体を固定ボルトで一体に固定する必要があると共に、ばね力調整用スぺーサを挿入するためにばね受け支持体とばね受けとの間に隙間を作る必要がある等、そのばね力調整のために作業負担が増大してしまう。
【００１１】
本発明は上述の点に鑑みなされたもので、その目的とするところは、機器全体の低層化が可能なことは勿論、ばね操作器本体を取り外すことなく、作業負担が増大しない簡単な作業で投入動作用ばねのばね力の調整を行うことができるガス遮断器及びその投入動作用ばねの調整方法を提供することにある。
【課題を解決するための手段】
【００１２】
本発明のガス遮断器は、上記目的を達成するために、固定接触子と、該固定接触子に対して接触及び開離する可動接触子と、前記固定接触子及び前記可動接触子を内部に有する密封タンクと、前記可動接触子を駆動するばね操作器と、前記密封タンクと前記ばね操作器の間に配置され、両者を接続するリンク機構とを備え、前記ばね操作器は、遮断動作用ばねと投入動作用ばね、及び前記遮断動作用ばねを収納する遮断動作用ばね収納ケースと前記投入動作用ばねを収納する投入動作用ばね収納ケースを有し、前記密封タンクと前記リンク機構及び前記ばね操作器は、一直線上に配置されていると共に、前記遮断動作用ばね収納ケースが前記投入動作用ばね収納ケースの上方に配置され、かつ、前記投入動作用ばね収納ケースには、前記投入動作用ばねのばね力を調整するための作業用工具が持ち込み可能な作業用孔が形成されていることを特徴とする。
【００１３】
また、本発明のガス遮断器の投入動作用ばねの調整方法は、上記目的を達成するために、固定接触子と、該固定接触子に対して接触及び開離する可動接触子と、前記固定接触子及び前記可動接触子を内部に有する密封タンクと、前記可動接触子を駆動するばね操作器と、前記密封タンクと前記ばね操作器の間に配置され、両者を接続するリンク機構とを備え、前記ばね操作器は、遮断動作用ばねと投入動作用ばね、及び前記遮断動作用ばねを収納する遮断動作用ばね収納ケースと前記投入動作用ばねを収納する投入動作用ばね収納ケースを有し、前記密封タンクと前記リンク機構及び前記ばね操作器は、一直線上に配置されていると共に、前記遮断動作用ばね収納ケースが前記投入動作用ばね収納ケースの上方に配置され、かつ、前記投入動作用ばね収納ケースに形成されている作業用孔から作業用工具を持ち込んで前記投入動作用ばねのばね力を調整するに当たり、前記作業用孔から前記作業用工具を前記投入動作用ばね収納ケース内に挿入すると共に、ばね受け支持部の端部にばね受けの中央を通して形成されたねじ部に螺合される調整用ナットに前記作業用工具を装着し、その後、前記調整用ナットと前記ばね受け支持部のねじ部を締めたり緩めることにより前記ばね受けを変位させることで、前記投入動作用ばねのばね力を調整することを特徴とする。
【発明の効果】
【００１４】
本発明によれば、機器全体の低層化が可能なことは勿論、ばね操作器本体を取り外すことなく、作業負担が増大しない簡単な作業で投入動作用ばねのばね力の調整を行うことができる。
【図面の簡単な説明】
【００１５】
【図１】本発明のガス遮断器の実施例１を示す側面図である。
【図２】本発明のガス遮断器の実施例１におけるばね操作器の詳細図である。
【図３】図２のIII−III線に沿う断面図である。
【図４】本発明のガス遮断器の実施例１における投入動作用ばねのばね力調整時を示す図２に相当する図である。
【発明を実施するための形態】
【００１６】
以下、図示した実施例に基づいて本発明のガス遮断器及びその投入動作用ばねの調整方法を説明する。なお、各図において、同一構成部品には同符号を使用する。
【実施例１】
【００１７】
図１乃至図３に本発明のガス遮断器の実施例１を示す。
【００１８】
該図に示す如く、ガス遮断器１５は、遮断部が収納された密封タンク２、ばね操作器１、ばね操作器１と密封タンク２を接続するリンク機構部３で概略構成され、これら密封タンク２とリンク機構部３及びばね操作器１は、一直線上に配置されている。
【００１９】
密封タンク２は、脚部１６ａ及び１６ｂにより共通架台に接続されると共に、密封タンク２の内部には、ＳＦ６ガス等の絶縁ガスが規定の圧力で封入されている。
【００２０】
密封タンク２内では、図示を略した導体を介して可動接触子１７と固定接触子１８とで構成された遮断部接点に通電される。可動接触子１７には、固定接触子１８と接する反対側に絶縁ロッド１９が接続されており、この絶縁ロッド１９にリンク機構部３を介してばね操作器１の駆動力が作用して、遮断部接点の開閉が行われる。
【００２１】
以下、ばね操作器１の詳細につき、図２を参照して説明する。ばね操作器１は、筐体２０と、円筒状の遮断動作用ばね収納ケース７と、この遮断動作用ばね収納ケース７の下部に設置された投入動作用ばね収納ケース６とで概略構成されている。また、筺体２０内には、メインレバー１２、投入カム１３等で構成された制御機構が配置されていて、この制御機構で投入（閉）、遮断（開）動作が行われる。
【００２２】
ばね操作器１は、遮断動作用ばね収納ケース７及び投入動作用ばね収納ケース６の一方の端部が背板１４に固定されて支持されている。背板１４の反対側には、筺体２０が配置されている。更に、投入動作用ばね収納ケース６は、背板１４と接続する反対端がリンク機構部３に固定されている（図１参照）。
【００２３】
遮断動作用ばね収納ケース７内には遮断動作用ばね５が、投入動作用ばね収納ケース６内には投入動作用ばね４が、夫々収納されている。
【００２４】
遮断動作用ばね５及び投入動作用ばね４は、リンク機構部３と筐体２０の間で、かつ、動作軸が横向きになるように配置されている。一例としては、遮断動作用ばね５及び投入動作用ばね４は、その動作軸を可動接触子１７の動作軸の動作方向と平行に配置されている。
【００２５】
そして、投入動作用ばね４の放勢に伴い、投入動作用リンク２２を介して投入カム１３、回転軸２３が反時計回りに回動する。投入カム１３の反時計回りの回動に伴い、投入カム１３の外周面がメインレバー１２の外周面を押圧して、メインレバー１２を時計回りに回動させる。これにより、遮断動作用リンク２１、遮断動作用ばね受２５を介して遮断動作用ばね５が圧縮される。
【００２６】
遮断動作用ばね収納ケース７と、この遮断動作用ばね収納ケース７の下部に設置された投入動作用ばね収納ケース６は、図３に示すように、それぞれの中心軸が横方向（水平方向）にずらして配置されている。
【００２７】
また、投入動作用ばね収納ケース６側のリンク機構部３の側端部上方には、図２に示すように、作業用孔１１が形成されている。この作業用孔１１は、ばね操作器１の上方から見て遮断動作用ばね収納ケース７により隠れない位置に設けられるのが好ましく、しかも、図４に示すように、作業用孔１１の大きさ及びその上部は、投入動作用ばね４のばね力を調整するためのラチェットレンチ２４等の作業用工具を持ち込んで作業できるスペースが確保できるような大きさ及び位置になっていることが必要となる。なお、この作業用孔１１は、通常（投入動作用ばね４のばね力を調整する作業のとき以外或いはその他の作業以外）は、カバー等により塞がれて異物の侵入を防いでいる。
【００２８】
作業用孔１１を有する投入動作用ばね収納ケース６の内部においては、投入動作用ばね４が、その一端が背板１４に当接するように配置して固定され、投入動作用ばね４の他端が、ばね受け８に当接するように配置して固定されている。
【００２９】
図２に示す如く、投入カム１３とは反対側の端部外周部には、ばね受け８の中央を通してねじ部９ａが形成されたばね受け支持部９が配置されており、このばね受け支持部９は、投入カム１３に連結する投入動作用リンク２２の一端に接続されていると共に、ねじ部９ａには、ばね受け８の中央部を介して調整用ナット１０を螺合することにより、ばね受け８とばね受け支持部９が連結され、投入動作用ばね４のばね力が調整される。
【００３０】
次に、遮断部接点の切（開）状態から遮断部接点の入（閉）状態に移行する動作を、以下に説明する。
【００３１】
通常、ガス遮断器１５に投入指令が入力されると、投入動作用ばね４の制御機構が作動して、圧縮状態にある投入動作用ばね４の規制を解き、投入動作用ばね４を放勢させる。この際には、投入動作用ばねケース６の一端がリンク機構部３に剛に結合されているため、投入動作用ばね４及びばね受８が紙面上下方向に変位しても、投入動作用ばねケース６の振動は抑制されている。
【００３２】
投入動作用ばね４の放勢に伴い、投入動作用リンク２２を介して投入カム１３及び回転軸２３が反時計回りに回動する。投入カム１３の反時計回りの回動に伴い、投入カム１３の外周面がメインレバー１２の外周面を押圧してメインレバー１２を時計回りに回動させる。これにより、遮断動作用リンク２１及び遮断動作用ばね受２５を介して遮断動作用ばね５が圧縮される。これにより、遮断部接点の切（開）状態から入（閉）状態に移行する。
【００３３】
また、図２に示す如く、ばね受け８にはばね受け支持部９が嵌る凹部８ａが形成されており、調整用ナット１０を締めたり緩めたりすることで、凹部８ａ内をばね受け支持部９が移動し、ばね受け８が変位（図２の左右方向に移動）することになる。
【００３４】
これにより、３相の可動接触子１７と固定接触子１８の閉極時間を同一時間に（各相の閉極時間が一致）するのを目的とした投入動作用ばね４のばね力の調整が可能となる。
【００３５】
以下、本実施例に係るガス遮断器１５の投入動作用ばね４のばね力の調整方法について、図４を用いて説明する。なお、この投入動作用ばね４のばね力の調整は、工場内における組立時或いは現地での据え付け時に行うものである。
【００３６】
通常、相分離型の３相ガス遮断器を組込んだガス開閉装置は、複数器並べて配置されることが多くある。この場合、相分離型の３相ガス遮断器の全相が、両側を遮断器に挟まれているため、側面から機器の調整をすることが困難である。
【００３７】
全相のガス遮断器１５の調整をする際には、ガス遮断器１５を取外してして作業する必要があるが、投入動作用ばね４のばね力の調整のように、据付後１回行われる作業については、ガス遮断器１５を取外さずに行うことができれば作業性は向上する。
【００３８】
また、相分離型の３相ガス遮断器に限らず、遮断器の周囲に十分な作業場所を確保できない場合についても、ばね操作器１を取外すことなく投入動作用ばね４のばね力の調整ができれば作業性が向上する。
【００３９】
上述の通り、本実施例におけるガス遮断器１５は、投入動作用ばね収納ケース６と遮断動作用ばね収納ケース７の中心軸を水平方向にずらして配置しているため、ばね操作器１の上方から投入動作用ばね収納ケース６にアクセスして、投入動作用ばね４のばね力調整作業を行うことが可能である。
【００４０】
即ち、まず、投入動作用ばね収納ケース６に設けられた作業用孔１１のカバーを外し、作業用孔１１よりラチェットレンチ２４等の作業用工具を挿入し、このラチェットレンチ２４を調整用ナット１０に装着する（図４参照）。そして、ラチェットレンチ２４を回転させることで、ばね受け支持部９のねじ部に螺合された調整用ナット１０を増し締め又は緩められ、ばね受け８を図２の左右方向に移動さえることで変位させる。つまり、調整用ナット１０を締めることで、投入動作用ばね４が蓄勢されて反力を大きくし、調整用ナット１０を緩めることで、投入動作用ばね４が放勢されて反力を小さくすることができる。
【００４１】
以上説明した本実施例とすることにより、密封タンク２とリンク機構部３及びばね操作器１が、一直線上に配置されていることで機器全体の低層化が可能なことは勿論、ばね操作器１の本体を取り外すことなく、作業負担が増大しない簡単な作業で投入動作用ばね４のばね力の調整を行うことができる。
【００４２】
なお、上述した実施例では、作業用孔１１を、投入動作用ばね収納ケース６側のリンク機構部３の側端部上方に形成した例について説明したが、作業環境が揃えば、投入動作用ばね収納ケース６のリンク機構部３の側端部下方に、作業用孔１１を形成してもよい。
【００４３】
また、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４４】
１…ばね操作器、２…密封タンク、３…リンク機構部、４…投入動作用ばね、５…遮断動作用ばね、６…投入動作用ばね収納ケース、７…遮断動作用ばね収納ケース、８…ばね受け、８ａ…凹部、９…ばね受け支持部、９ａ…ねじ部、１０…調整用ナット、１１…作業用孔、１２…メインレバー、１３…投入カム、１４…背板、１５…ガス遮断器、１６ａ、１６ｂ…密封タンクの脚部、１７…可動接触子、１８…固定接触子、１９…絶縁ロッド、２０…筐体、２１…遮断動作用リンク、２２…投入動作用リンク、２３…回転軸、２４…ラチェットレンチ、２５…遮断動作用ばね受、２６…従来のばね操作器、２７…投入ばねケース、２８…遮断ばねケース、２９…投入ばね力調整用作業孔カバー。
【図１】
2015167093.tif 000003
【図２】
2015167093.tif 000004
【図３】
2015167093.tif 000005
【図４】
2015167093.tif 000006